(57)【要約】本発明は、グローブ、特にゴールキーパー用グローブ用の補強部材（１）に関し、これは、第１の曲げ方向への屈曲を可能にし、第１の曲げ方向と反対の第２の曲げ方向への屈曲を防ぐように構成されている。ボールをパンチングした際に指の関節に大きな負担がかかることを確実に防ぐため、補強部材（１）は、指の長さ方向（Ｌ）に延在する２つの曲げ部材（２，３）を備え、これらの曲げ部材（２，３）は、第２の曲げ方向への屈曲を防ぐ複数の止め部材（４）を有し、２つの曲げ部材（２，３）は、通常の使用時に、保護される指（２３）に沿って側方に延在し、２つの曲げ部材（２，３）は、少なくとも２つの連結ブリッジ（５，６，７，８）によって相互に連結されている。また、本発明は、そのような補強部材を備えるグローブ、特にゴールキーパー用グローブに関する。【選択図】図１
2013515519.tif 000002
【特許請求の範囲】
【請求項１】
ゴールキーパー用グローブを含むグローブの補強部材（１）であって、第１の曲げ方向への屈曲を可能にすると共に、その第１の曲げ方向と反対の第２の曲げ方向への屈曲を防ぐ構成であり、
指の長さ方向（Ｌ）に延在する２つの曲げ部材（２，３）を備え、曲げ部材（２，３）が、第２の曲げ方向への屈曲を防ぐ複数の止め部材（４）を有し、
２つの曲げ部材（２，３）が、通常の使用時に、保護される指（２３）に沿って側方に延在し、少なくとも２つの連結ブリッジ（５，６，７，８）によって相互に連結されている
ことを特徴とする補強部材。
【請求項２】
止め部材（４）と、止め部材（４）を保持する曲げ部材（２，３）が、一体のプラスチック部品である
請求項１に記載の補強部材。
【請求項３】
止め部材（４）が別個の部品であり、曲げ部材（２，３）に差し込まれる
請求項１に記載の補強部材。
【請求項４】
少なくとも２つの連結ブリッジ（５，６，７，８）が、通常の使用時に、連結ブリッジ（５，６，７，８）が指骨（９，１０，１１）の領域をつなぎ、２つの指骨の間の関節（１２，１３，１４）の領域、または、１つの指骨とユーザの手の間の関節の領域は覆わない配置である
請求項１ないし３のいずれかに記載の補強部材。
【請求項５】
４つの連結ブリッジ（５，６，７，８）が配置されている
請求項１ないし４のいずれかに記載の補強部材。
【請求項６】
連結ブリッジ（５，６，７，８）の少なくとも一部が、指に面する側に凹形構成を有する
請求項１ないし５のいずれかに記載の補強部材。
【請求項７】
２つの曲げ部材（２，３）が、連結ブリッジ（５，６，７，８）と共に一体型部品を成している
請求項１ないし６のいずれかに記載の補強部材。
【請求項８】
止め部材（４）が、係止結合によって曲げ部材（２，３）に接続される
請求項３ないし７のいずれかに記載の補強部材。
【請求項９】
係止結合が、スナップ結合として構成される
請求項８に記載の補強部材。
【請求項１０】
止め部材（４）が、曲げ部材（２，３）のバー部分（１７）の背面に係合可能な２つのフック状突起（１５，１６）を有する
請求項９に記載の補強部材。
【請求項１１】
２つのフック状突起（１５，１６）が、互いに反対向きである
請求項１０に記載の補強部材。
【請求項１２】
止め部材（４）が、少なくとも２つの接触面（１８，１９）を備え、それらが、組み付けられた状態において、曲げ部材（２，３）の対応する接触面（２０，２１）に当接する
請求項３ないし１１のいずれかに記載の補強部材。
【請求項１３】
２つの接触面（１８，１９）が、互いに直交する配置である
請求項１２に記載の補強部材。
【請求項１４】
曲げ部材（２，３）が、連結ブリッジ（５，６，７，８）及び止め部材（４）と共にプラスチックで構成されている
請求項１ないし１３のいずれかに記載の補強部材。
【請求項１５】
請求項１ないし１４のいずれかに記載の補強部材を少なくとも１つ備える
ことを特徴とする
ゴールキーパー用グローブを含むグローブ。
【発明の詳細な説明】
【技術分野】
【０００１】
本発明は、グローブ、特にゴールキーパー用グローブ用の補強部材に関し、その補強部材は、第１の曲げ方向への屈曲を可能にし、第１の曲げ方向と反対の第２の曲げ方向への屈曲を防ぐように構成されている。また、本発明は、そのような補強部材を備えるグローブ、特にゴールキーパー用グローブに関する。
【背景技術】
【０００２】
ゴールキーパー用グローブのこの種の補強部材は、特許文献１で知られている。これによって、ゴールキーパーの指が、ボールをキャッチする際に、ゴールキーパー用グローブを使用していれば、反るように曲がって無理に伸ばされることがないように保護することが可能である。一方、拳を握るように指を曲げることは可能であり、すなわち、補強部材は指のそのような動きを可能にする。このため、従来知られている解決策では、補強部材の部分が指の長さ方向に延在するようになっていて、この部分は、最初は両方の曲げ方向に屈曲可能である。その部分には、指が「逆に」曲がることを防ぐため、身体構造上の方向と逆に曲がる指をブロックするように接触して曲がらないようにする止め部材が配置されている。この場合、これらの止め部材は、指の背全体を覆っている。
【０００３】
このような解決策は、ボールをパンチングした際に外側から指に力が加わると、指の関節が止め部材に当たることが欠点である。従って、この場合、指の関節に負担がかかり、これは不快なものとして、さらには痛みとして知覚されることになる。
【先行技術文献】
【特許文献】
【０００４】
【特許文献１】欧州特許第１５２７８０２号
【発明の概要】
【発明が解決しようとする課題】
【０００５】
そこで、本発明は、上記タイプの補強部材をさらに向上させて、このような欠点を回避することができるゴールキーパー用グローブを提供することを課題とする。これにより、ボールをパンチングした際に指の関節に強度の負担がかかることが確実に防止される。
【課題を解決するための手段】
【０００６】
この問題の本発明による解決策は、補強部材が、指の長さ方向に延在する２つの曲げ部材を備え、これらの曲げ部材は、第２の曲げ方向への屈曲を防ぐ多くの止め部材を有し、通常の使用時に、これら２つの曲げ部材は、保護される指に沿って側方に延在し、これら２つの曲げ部材は、少なくとも２つの連結ブリッジによって相互に連結されていることを特徴とする。
【０００７】
この場合、止め部材と、これらの止め部材を保持する曲げ部材は、一体のプラスチック部品として構成されるものとすることができる。あるいはこれに代えて、止め部材は別個の部品として製造され、曲げ部材に差し込まれるものとすることもできる。
【０００８】
上記少なくとも２つの連結ブリッジは、通常の使用時に、それらの連結ブリッジが指骨の領域をつなぎ、２つの指骨の間の関節の領域、または指骨とユーザの手の間の関節の領域は覆わないように、配置されるのが好ましい。
【０００９】
４つの連結ブリッジが配置されるのが好ましい。
【００１０】
連結ブリッジの少なくとも一部は、指に面する側に凹形構成を有し、これにより、指の背に最適になじむようにするのが好ましい。
【００１１】
２つの曲げ部材は連結ブリッジと共に一体型部品を成し、これは、通常、射出成形により製造されるのが好ましい。
【００１２】
止め部材は、係止結合によって曲げ部材に接続されるのが好ましい。係止結合は、スナップ結合として構成されるのが好ましい。これに関して、本発明の好ましい実施形態では、止め部材は、曲げ部材のバー部分の背面に係合することが可能な２つのフック状突起を有している。これら２つのフック状突起は、互いに反対向きとすることができる。
【００１３】
止め部材は、少なくとも２つの接触面を備えることができ、これらは、組み付けられた状態において、それらに対応する曲げ部材の接触面に当接する。２つの接触面は、互いに直交するように配置され、これにより、止め部材について２つの軸方向で所定位置を規定するのが好ましい。
【００１４】
補強部材は、その軸方向の端部領域に、略平坦な構成の応力分散要素をさらに備えることができる。この場合、応力分散要素は、２つの曲げ部材及び連結ブリッジと一体に形成することができる。
【００１５】
曲げ部材は、連結ブリッジ及び止め部材と共に、プラスチックで構成されるのが好ましい。
【００１６】
本発明は、さらに、グローブ、特にゴールキーパー用グローブに関し、これは、上記タイプの補強部材を少なくとも１つ備えていて、好ましくは、個々の指用に複数の補強部材を備えている。
【発明の効果】
【００１７】
このようにして、効果的に、ゴールキーパーの指が無理に伸ばされることに対する保護を、改良された形で実現している。指の関節が補強部材に当たったり、押し付けられたりすることはなくなり、これにより向上した保護が提供される。
【図面の簡単な説明】
【００１８】
【図１】本発明の第１の実施形態による補強部材の斜視図。これは、図示していないゴールキーパー用グローブに組み込むことができるものである。補強部材の下に、保護される指を示している。
【図２】止め部材が差し込まれていない状態の補強部材の基部を示す斜視図
【図３】止め部材が差し込まれていない状態の補強部材の基部を示し、差し込まれる止め部材を分解して示す斜視図
【図４】補強部材の一部分を拡大分解して示す斜視図
【図５ａ】ブロックする状態にある補強部材の側面図
【図５ｂ】指（図示せず）が拳を握るように曲げられ、補強部材がこの指の動きに追従した状態にある補強部材の側面図
【図６】本発明の第２の実施形態による補強部材の斜視図
【図７】図６に示す補強部材の上面図
【図８】補強部材が伸ばされた状態にある図６に示す補強部材の側面図
【図９】手が拳を握った状態にある図６に示す補強部材の側面図
【図１０】指が伸びた状態のゴールキーパーの手の上にある図６に示す補強部材の斜視図
【図１１】指を内側に丸めた状態のゴールキーパーの手の上にある図６に示す補強部材の斜視図
【発明を実施するための形態】
【００１９】
図面に、本発明の実施形態を示す。
【００２０】
図１〜３は、いずれも、図示していないゴールキーパー用グローブまたはその部品のための、本発明による一実施形態の補強部材１を示している。この補強部材１は、実質的に２つの曲げ部材２、３を有し、これらは、補強部材１の通常の使用時に、図１で補強部材１の下に示す保護される指２３に対し、その側部に隣接して配置される。補強部材またはゴールキーパー用グローブの使用時には、補強部材１は、機能的に指２３の背に配置され、この目的のため、通常は、ゴールキーパー用グローブの適当な収容ポケットに挿入されている。
【００２１】
２つの曲げ部材２、３は、指の長さ方向Ｌにほぼ沿って延在している。この場合、より強く構成された部分と、未発達の部分とが、上記方向に交互に並んでいる。バー部分１７は比較的に薄く構成され（特に図２を参照）、別の領域にある曲げ部材２、３の寸法と比較してより小さく実現されている。
【００２２】
バー部分１７の領域には、曲げ部材２、３の前方延長部につながるものとして、ヒンジ部２４が設けられていて、これによって、その位置で、曲げ部材２、３は、大きな曲げモーメントを加えられることなく屈曲することが可能である。こうして、補強ストリップは、拳を握る場合の指の屈曲に追従することができる。
【００２３】
これが反対方向には生じないようにするため、すなわち反るように無理に伸ばされることから指を保護するため、止め部材４が設けられていて、これらは、曲げ部材２、３上のバー部分１７の領域に取り付けるか、または差し込むことができる。この場合、その直接の結果として、特に図１に示すように、止め部材の端面が、対応する曲げ部材２、３の接触面と当接することになり、これによって、「逆向き」の屈曲に対する抵抗が設定される。
【００２４】
ここまでは、補強部材は、従来知られている機能を提供するものである。つまり、補強部材１は、第１の曲げ方向（すなわち、身体構造上、指に与えられた曲げ方向）への屈曲を可能とし、第１の曲げ方向と反対である第２の曲げ方向への屈曲を防止するように構成されていて、これによって指を保護する。
【００２５】
一方、補強部材１は、指の長さ方向Ｌに延在する２つの曲げ部材２、３を備え、これらの曲げ部材２、３は、第２の曲げ方向への屈曲を防止する複数の止め部材４を有することが不可欠である。これら２つの曲げ部材２、３は、通常の使用時には、保護される指２３に沿って側方に延在する。２つの曲げ部材２、３は、少なくとも２つの連結ブリッジ５、６、７、８、によって相互に接続されていて、本例では、好ましくはアーチ形に構成された４つのそのような連結ブリッジによって接続されている。
【００２６】
さらに、非常に効果的なことは、連結ブリッジ５、６、７、８は、通常の使用時に、連結ブリッジがそれぞれ指骨９、１０または１１の領域をつなぐように、配置されていることである（これについては図１を参照）。一方、２つの指骨９と１０または１０と１１の間、及び指骨１１とユーザの手の間において、関節１２、１３または１４の領域は、それぞれ覆われないままとなる。その結果、関節１２、１３、１４は、ボールをパンチングした際に、補強部材１に当たる危険にさらされないことになる。
【００２７】
止め部材４は、係止結合によりバー部分１７に取り付けられ、この場合、曲げ部材２、３に接続される。この詳細は、図４に最も良く示されている。止め部材４は、その下部領域に、２つのフック状突起１５、１６を有している。これらは、図４において止め部材４が曲げ部材２、３のこの目的で設けられた凹部に矢印方向に差し込まれたときに、バー部分１７の下面に係合するように構成されている。
【００２８】
このようにして、止め部材４は、フック状突起１５、１６がスナップ結合を形成することで、曲げ部材２、３に固定される。
【００２９】
曲げ部材２、３上で形成される止め部材４の接触は、止め部材４の下部に配された接触面１８、１９によるものである。これらの接触面１８，１９は、曲げ部材２、３のバー部分１７に、対応する接触面２０、２１を有している。
【００３０】
従って、止め部材４の接触面１８は、バー部分の接触面２０に配置され、そして、止め部材４の接触面１９は、バー部分１７の接触面２１に配置される。
【００３１】
２つの接触面１８、１９または２０、２１は、互いに直交するように配置されているので、曲げ部材２、３上での止め部材４の接触は、２つの軸方向に形成される。
【００３２】
補強部材１は、その軸方向の端部の１つに応力分散要素２２を有し、これは、ストリップ形状で、略平坦である。これは、ゴールキーパー用グローブの中に固定され、手の甲側で曲げ応力を分散させるのに適している。
【００３３】
補強部材１の作用は、再び図５（ａ）（ｂ）から明らかとなる。
【００３４】
図５（ａ）では、補強部材１は伸びた状態にあり、この場合、止め部材４は、指の“逆向き”の屈曲、すなわち指が無理に曲げられることを防いでいる。
【００３５】
一方、図５（ｂ）では、補強部材１は、拳を握るように身体構造上正しく曲がる指の動きに追従している。
【００３６】
図６〜１１に、本発明の別の実施形態による補強部材１を示す。
【００３７】
図６〜８の全体図は、補強部材１の基本構造を示している。上記解決策との違いは、ここでは、実質的に、別個の成形部品として製造されてから曲げ部材２、３に取り付けられる、別個の止め部材４を使用しないということである。ここでは、曲げ部材２、３の実体部分が、止め部材４として機能する。つまり、一体成形部品として射出成形により製造される補強部材１が、曲げ部材２、３の領域に切り込み２５を備え、切り込み２５が及んでいない残りの実体領域によって、ヒンジ部２４を形成している。
【００３８】
従って、この場合の補強部材１は、屈曲して、手で拳を握る場合の指の形に追従することができる。
【００３９】
このような指の屈曲への追従を図９に示していて、これを図８と比較することで、指の屈曲によって補強部材１がどのように変形するのかがわかる。
【００４０】
ゴールキーパー用グローブを実際に使用した際に、これがどのようになるかは、ゴールキーパーの手が描かれた図１０及び１１の全体図から明らかであり、ここでは、図示していないゴールキーパー用グローブの適当な収容ポケット内に配置される補強ストリップを一本の指について示している。
【００４１】
図１０では、補強ストリップ１が、伸ばした指の上に載っている様子を示している。この場合、止め部材４は互いに寄り掛かって、これにより、指が身体構造上の方向と反対に曲がることを防いでいる。
【００４２】
一方、手で拳を握る場合の指の屈曲に、補強部材１がどのように追従するのかは、図１１から明らかである。関節１２、１３、１４（指関節）が自由なままで、このため補強部材１による負担がかからないことが不可欠である。
【符号の説明】
【００４３】
１    補強部材
２    曲げ部材
３    曲げ部材
４    止め部材
５    連結ブリッジ
６    連結ブリッジ
７    連結ブリッジ
８    連結ブリッジ
９    指骨
１０    指骨
１１    指骨
１２    関節
１３    関節
１４    関節
１５    フック状突起
１６    フック状突起
１７    バー部分
１８    接触面
１９    接触面
２０    接触面
２１    接触面
２２    応力分散要素
２３    指
２４    ヒンジ部
２５    切り込み
Ｌ    指の長さ方向
【図１】
2013515519.tif 000003
【図２】
2013515519.tif 000004
【図３】
2013515519.tif 000005
【図４】
2013515519.tif 000006
【図５ａ】
2013515519.tif 000007
【図５ｂ】
2013515519.tif 000008
【図６】
2013515519.tif 000009
【図７】
2013515519.tif 000010
【図８】
2013515519.tif 000011
【図９】
2013515519.tif 000012
【図１０】
2013515519.tif 000013
【図１１】
2013515519.tif 000014
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
ゴールキーパー用グローブを含むグローブの補強部材（１）であって、第１の曲げ方向への屈曲を可能にすると共に、その第１の曲げ方向と反対の第２の曲げ方向への屈曲を防ぐ構成であり、
指の長さ方向（Ｌ）に延在する２つの曲げ部材（２，３）を備え、曲げ部材（２，３）が、第２の曲げ方向への屈曲を防ぐ複数の止め部材（４）を有し、
２つの曲げ部材（２，３）が、通常の使用時に、保護される指（２３）に沿って側方に延在し、少なくとも２つの連結ブリッジ（５，６，７，８）によって相互に連結され、
少なくとも２つの連結ブリッジ（５，６，７，８）が、通常の使用時に、連結ブリッジ（５，６，７，８）が指骨（９，１０，１１）の領域をつなぎ、２つの指骨の間の関節（１２，１３，１４）の領域、及び、１つの指骨とユーザの手の間の関節の領域は覆わない配置である
ことを特徴とする補強部材。
【請求項２】
止め部材（４）と、止め部材（４）を保持する曲げ部材（２，３）が、一体のプラスチック部品である
請求項１に記載の補強部材。
【請求項３】
止め部材（４）が別個の部品であり、曲げ部材（２，３）に差し込まれる
請求項１に記載の補強部材。
【請求項４】
４つの連結ブリッジ（５，６，７，８）が配置されている
請求項１ないし３のいずれかに記載の補強部材。
【請求項５】
連結ブリッジ（５，６，７，８）の少なくとも一部が、指に面する側に凹形構成を有する
請求項１ないし４のいずれかに記載の補強部材。
【請求項６】
２つの曲げ部材（２，３）が、連結ブリッジ（５，６，７，８）と共に一体型部品を成している
請求項１ないし５のいずれかに記載の補強部材。
【請求項７】
止め部材（４）が、係止結合によって曲げ部材（２，３）に接続される
請求項３ないし６のいずれかに記載の補強部材。
【請求項８】
係止結合が、スナップ結合として構成される
請求項７に記載の補強部材。
【請求項９】
止め部材（４）が、曲げ部材（２，３）のバー部分（１７）の背面に係合可能な２つのフック状突起（１５，１６）を有する
請求項８に記載の補強部材。
【請求項１０】
２つのフック状突起（１５，１６）が、互いに反対向きである
請求項９に記載の補強部材。
【請求項１１】
止め部材（４）が、少なくとも２つの接触面（１８，１９）を備え、それらが、組み付けられた状態において、曲げ部材（２，３）の対応する接触面（２０，２１）に当接する
請求項３ないし１０のいずれかに記載の補強部材。
【請求項１２】
２つの接触面（１８，１９）が、互いに直交する配置である
請求項１１に記載の補強部材。
【請求項１３】
曲げ部材（２，３）が、連結ブリッジ（５，６，７，８）及び止め部材（４）と共にプラスチックで構成されている
請求項１ないし１２のいずれかに記載の補強部材。
【請求項１４】
請求項１ないし１３のいずれかに記載の補強部材を少なくとも１つ備える
ことを特徴とする
ゴールキーパー用グローブを含むグローブ。
【手続補正２】
【補正対象書類名】明細書
【補正対象項目名】０００１
【補正方法】変更
【補正の内容】
【０００１】
本発明は、グローブ、特にゴールキーパー用グローブ用の補強部材に関し、その補強部材は、第１の曲げ方向への屈曲を可能にし、第１の曲げ方向と反対の第２の曲げ方向への屈曲を防ぐように構成されている。補強部材は、指の長さ方向に延在する２つの曲げ部材を備え、これらの曲げ部材は、第２の曲げ方向への屈曲を防ぐ複数の止め部材を有し、通常の使用時に、これら２つの曲げ部材は、保護される指に沿って側方に延在し、これら２つの曲げ部材は、少なくとも２つの連結ブリッジによって相互に連結されている。また、本発明は、そのような補強部材を備えるグローブ、特にゴールキーパー用グローブに関する。
【手続補正３】
【補正対象書類名】明細書
【補正対象項目名】０００２
【補正方法】変更
【補正の内容】
【０００２】
ゴールキーパー用グローブのこの種の補強部材は、特許文献１〜３で知られている。同様の解決策が、特許文献１、４、５に示されている。これらの解決策によると、ゴールキーパーの指が、ボールをキャッチ延在するようになっていて、この部分は、最初は両方の曲げ方向に屈曲可能である。ボールをキャッチする際に、ゴールキーパー用グローブを使用していれば、反るように曲がって無理に伸ばされることがないように保護することが可能である。一方、拳を握るように指を曲げることは可能であり、すなわち、補強部材は指のそのような動きを可能にする。このため、従来知られている解決策では、補強部材の部分が指の長さ方向に延在するようになっていて、この部分は、最初は両方の曲げ方向に屈曲可能である。その部分には、指が「逆に」曲がることを防ぐため、身体構造上の方向と逆に曲がる指をブロックするように接触して曲がらないようにする止め部材が配置されている。この場合、これらの止め部材は、指の背全体を覆っている。
【手続補正４】
【補正対象書類名】明細書
【補正対象項目名】０００３
【補正方法】変更
【補正の内容】
【０００３】
このような解決策は、ボールをパンチングした際に外側から指に力が加わると、指の関節が止め部材に当たることが欠点である。従って、この場合、指の関節に負担がかかり、これは不快なものとして、さらには痛みとして知覚されることになる。
【手続補正５】
【補正対象書類名】明細書
【補正対象項目名】０００４
【補正方法】変更
【補正の内容】
【０００４】
【特許文献１】欧州特許第１５２７８０２号
【特許文献２】欧州特許第１３７８２７３号
【特許文献３】米国特許第３１７０４６０号
【特許文献４】米国特許第５２３２４３６号
【特許文献５】米国特許第６５８４６１５号
【手続補正６】
【補正対象書類名】明細書
【補正対象項目名】０００５
【補正方法】変更
【補正の内容】
【０００５】
そこで、本発明は、上記タイプの補強部材をさらに向上させて、このような欠点を回避することができるゴールキーパー用グローブを提供することを課題とする。これにより、ボールをパンチングした際に指の関節に強度の負担がかかることが確実に防止される。
【手続補正７】
【補正対象書類名】明細書
【補正対象項目名】０００６
【補正方法】変更
【補正の内容】
【０００６】
この問題の本発明による解決策は、上記少なくとも２つの連結ブリッジは、通常の使用時に、それらの連結ブリッジが指骨の領域をつなぎ、２つの指骨の間の関節の領域、または指骨とユーザの手の間の関節の領域は覆わないように、配置されることを特徴とする。
【手続補正８】
【補正対象書類名】明細書
【補正対象項目名】０００７
【補正方法】変更
【補正の内容】
【０００７】
この場合、止め部材と、これらの止め部材を保持する曲げ部材は、一体のプラスチック部品として構成されるものとすることができる。あるいはこれに代えて、止め部材は別個の部品として製造され、曲げ部材に差し込まれるものとすることもできる。
【手続補正９】
【補正対象書類名】明細書
【補正対象項目名】０００８
【補正方法】削除
【補正の内容】
【国際調査報告】
2013515519.tif 000015
2013515519.tif 000016
2013515519.tif 000017
2013515519.tif 000018
2013515519.tif 000019
2013515519.tif 000020